(57)【要約】      （修正有）【課題】ユーザが迅速かつ容易に監視したいタググループ画面を表示することができる計装監視装置を提供する。【解決手段】計装監視装置１は、プロセス制御される機器、装置および計器に接続された入出力接点にそれぞれ付与されたタグ名称によって前記機器、前記装置および前記計器を監視する。この計装監視装置は、複数の前記タグ名称から所望のタグ名称を検索し、結果を表示するタグ検索機能と、前記複数のタグ名称のうちの少なくとも一部を登録してタググループとして管理するタググルーピング機能と、を備える。前記所望のタグ名称が複数の前記タググループに属する場合には、前記所望のタグ名称が属する前記複数のタググループを表すすべてのタググループ名称を選択肢として表示する。【選択図】図１
2020021345.tif 000002
【特許請求の範囲】
【請求項１】
プロセス制御される機器、装置および計器に接続された入出力接点にそれぞれ付与されたタグ名称によって前記機器、前記装置および前記計器を監視する計装監視装置であって、
複数の前記タグ名称から所望のタグ名称を検索し、結果を表示するタグ検索機能と、
前記複数のタグ名称のうちの少なくとも一部を登録してタググループとして管理するタググルーピング機能と、
を備え、
前記所望のタグ名称が複数の前記タググループに属する場合には、
前記所望のタグ名称が属する前記複数のタググループを表すすべてのタググループ名称を選択肢として表示する計装監視装置。
【請求項２】
前記複数のタグ名称のうちの少なくとも一部のタグ名称に対応する前記入出力接点の現在のデータをリアルタイムトレンド名称を付して管理するリアルタイムトレンド機能をさらに備え、
前記所望のタグ名称が複数の前記リアルタイムトレンド名称に属する場合には、
前記所望のタグ名称が属する前記複数のリアルタイムトレンド名称を選択肢として表示する請求項１記載の計装監視装置。
【請求項３】
前記複数のタグ名称のうちの少なくとも一部のタグ名称に対応する前記入出力接点のデータの過去の履歴をヒストリカルトレンド名称として管理するヒストリカルトレンド機能をさらに備え、
前記所望のタグ名称が複数の前記ヒストリカルトレンド名称に属する場合には、
前記所望のタグ名称が属する前記複数のヒストリカルトレンド名称を選択肢として表示する請求項１または２に記載の計装監視装置。
【請求項４】
プロセス制御される機器、装置および計器に接続された入出力接点にそれぞれ付与されたタグ名称によって前記機器、前記装置および前記計器を監視する計装監視装置であって、
複数の前記タグ名称から所望のタグ名称を検索し、結果を表示するタグ検索機能と、
前記複数のタグ名称のうち少なくとも一部のタグ名称に対応する前記入出力接点の現在のデータをリアルタイムトレンド名称を付して管理するリアルタイムトレンド機能と、
を備え、
前記所望のタグ名称が複数の前記リアルタイムトレンド名称に属する場合には、
前記所望のタグ名称が属する前記複数のリアルタイムトレンド名称を選択肢として表示する計装監視装置。
【請求項５】
プロセス制御される機器、装置および計器に接続された入出力接点にそれぞれ付与されたタグ名称によって前記機器、前記装置および前記計器を監視する計装監視装置であって、
複数の前記タグ名称から所望のタグ名称を検索し、結果を表示するタグ検索機能と、
前記複数のタグ名称のうちの少なくとも一部のタグ名称に対応する前記入出力接点のデータの過去の履歴をヒストリカルトレンド名称として管理するヒストリカルトレンド機能と、
を備え、
前記所望のタグ名称が属する前記複数のヒストリカルトレンド名称を選択肢として表示する計装監視装置。
【発明の詳細な説明】
【技術分野】
【０００１】
本発明の実施形態は、プラントの計装制御システムにおいて各入出力の接点を監視し、制御する計装監視装置に関する。
【背景技術】
【０００２】
計装制御システムで用いられる計装監視装置では、ユーザは、プラントに設けられた機器や装置、計器等の各入出力の接点に対応して設定されたタグをタグ名称検索機能により検索することができる。このような計装制御システムでは、検索されたタグ名称を有するタグに関する各種データ等を表示するタグポイント画面へ容易に展開することもできる。
【０００３】
計装制御システムは、複数のタグ名称を登録することができるタググルーピング機能を有する。タググルーピング機能によって生成されたタググループを表示するタググループ画面は、タグポイント画面の上位画面に位置付けられていることが多い。タグポイント画面において、上位画面表示のためのボタン等をクリック等することによって、そのタグ名称を含む１つのタググループを表示することができる。
【０００４】
しかしながら、検索されたタグ名称を有するタグが複数のタググループに登録されている場合には、特定のタググループ画面しか表示できないことがある。このような場合に表示される特定のタググループ画面は、あらかじめ設定されており、所望のタググループ画面でないことも多い。そのため、ユーザは、タグ名称を手がかりに所望のタググループを探し出すのに多大な時間を要することがある。
【先行技術文献】
【特許文献】
【０００５】
【特許文献１】特開平５−２８４５７２号公報
【発明の概要】
【発明が解決しようとする課題】
【０００６】
タグによっては、複数のタググループに登録されることが多く、所望のタグ名称を有するタグを手がかりに所望のタググループを探し出すことができれば、ユーザの作業効率が各段に向上する。
【０００７】
実施形態は、上記の課題を解決するためのもので、ユーザが迅速かつ容易に監視したいタググループ画面を表示することができる計装監視装置を提供する。
【課題を解決するための手段】
【０００８】
実施形態に係る計装監視装置は、プロセス制御される機器、装置および計器に接続された入出力接点にそれぞれ付与されたタグ名称によって前記機器、前記装置および前記計器を監視する。この計装監視装置は、複数の前記タグ名称から所望のタグ名称を検索し、結果を表示するタグ検索機能と、前記複数のタグ名称のうちの少なくとも一部を登録してタググループとして管理するタググルーピング機能と、を備える。前記所望のタグ名称が複数の前記タググループに属する場合には、前記所望のタグ名称が属する前記複数のタググループを表すすべてのタググループ名称を選択肢として表示する。
【発明の効果】
【０００９】
本実施形態では、ユーザが迅速かつ容易に監視したいタググループ画面を表示することができる計装監視装置が実現される。
【図面の簡単な説明】
【００１０】
【図１】計装監視装置を含む計装制御システムを例示するブロック図である。
【図２】第１の実施形態の計装監視装置のタグ名称検索画面を例示する模式図である。
【図３】第１の実施形態の計装監視装置のタググループ画面を例示する模式図である。
【図４】第１の実施形態の計装監視装置のタグポイント画面を例示する模式図である。
【図５】第１の実施形態の計装監視装置の動作を説明するフローチャートの例である。
【図６】第１の実施形態の計装監視装置のタグポイント画面を例示する模式図である。
【図７】第１の実施形態の計装監視装置のタグ名称検索画面を例示する模式図である。
【図８】第２の実施形態の計装監視装置のリアルタイムトレンド画面を例示する模式図である。
【図９】第２の実施形態の計装監視装置の動作を説明するフローチャートの例である。
【図１０】第３の実施形態の計装監視装置のヒストリカルトレンド画面を例示する模式図である。
【図１１】第３の実施形態の計装監視装置の動作を説明するフローチャートの例である。
【発明を実施するための形態】
【００１１】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１２】
（第１の実施形態）
図１は、計装監視装置を含む計装制御システムを例示するブロック図である。
本実施形態に係る計装監視装置は、鉄鋼や非鉄金属、製紙、石油化学、医薬品等のプラントの計装制御システムに用いられる。図１に示すように、計装監視装置１は、イーサネット（登録商標）等の汎用の通信ネットワーク１０３に接続されて用いられる。計装監視装置１が接続される通信ネットワーク１０３には、データサーバ１０１や、各種エンジニアリングツール１０２、分散型の制御システム（Distributed Control System、ＤＣＳ）１０５等が接続される。
【００１３】
ＤＣＳ１０５には、各種入出力の接点がリンクされるネットワーク１０６も設けられている。また、ＤＣＳ１０５は、制御系ネットワーク１０４にも接続されている。図示しないが、通信ネットワーク１０３および制御系ネットワーク１０４には、複数の他のＤＣＳを接続することもでき、また、ゲートウェイを介して、プログラマブルコントローラ（Programmable Logic Controller、ＰＬＣ）等を接続することもできる。ＤＣＳやＰＬＣは、それぞれ専用のネットワークリンク等によってプロセスライン中の入出力接点に接続されている。計装監視装置１は、入出力接点のデータ等によって、入出力接点が接続されている機器や装置、計器等を監視し、また、入出力接点を介して、機器や装置、計器等を制御することができる。
【００１４】
計装制御システム１００では、各入出力接点に対応するタグが設定される。タグは、それぞれタグ名称を付与され、データサーバ１０１に格納される。データサーバ１０１は、タグ名称に、そのタグに対応する接点の現在のデータ（リアルタイムデータ）や過去のデータ（ヒストリカルデータ）、タグに対応するＨＭＩ画面上のシンボルのデータ等が関連付けられてデータベースとして格納している。
【００１５】
計装監視装置１は、そのＨＭＩ画面上で、タグ名称およびその表示の種別等を指定することによって、そのタグ名称に関連付けられている各種データ等を呼び出して、表示種別に応じて表示したり、対応する入出力接点を操作したりすることができる。なお、ＨＭＩ画面とは、ユーザとシステム側とのインタフェース（Human Machine Interface）をとるための計装監視装置１が表示する画面一般をいう。たとえば、ＨＭＩ画面上に表示されたタグのシンボルをマウスによってクリックすることによって、そのタグの属性や接点のデータ等を表示することができる。
【００１６】
計装制御システム１００の規模が大きくなったり、規模が小さくても機器等に設定されたタグが多かったりする場合等には、監視対象システムの全体を表示して、そのたびごとに監視対象のタグ名称を探して表示させるのでは、ユーザの作業効率が低下する。そこで、計装監視装置１は、必要なタグをグループにして登録するタググルーピング機能を備えている。
【００１７】
タググルーピング機能は、データサーバ１０１に保管されているデータベースにおいて、登録するタググループのタググループ名称をタグ名称に関連付けることによって実現される。
【００１８】
ユーザは、タググルーピング機能を用いて複数のタグ名称を有するタグを登録することができる。そして、ユーザは、タグ監視やタグ操作等を行う場合に、必要なタググループを呼び出して、効率的に作業を行うことができる。
【００１９】
タググループは、たとえば登録し得るタグ名称の数に制限がある場合があるが（たとえば８個、１６個等）、異なるタググループに、同じタグ名称のタグを登録することが可能である。本実施形態では、ユーザは、タグ名称を手がかりにタググループのリストを抽出して、抽出されたタググループから所望のタググループを探し出すことができる。
【００２０】
図２は、本実施形態の計装監視装置のタグ名称検索画面を例示する模式図である。
本実施形態の計装監視装置１は、タグ名称検索機能を備えており、タグ名称検索機能は、ＨＭＩ画面上に、タグ名称検索画面を表示することによって実現される。タグ名称検索機能は、タグ名称に各種データが関連付けられたデータベースから、所望のタグ名称および関連するデータ等を抽出する。
【００２１】
図１に示すように、タグ名称検索画面１０は、検索窓１１と、検索条件設定部１２と、検索結果表示部１４と、を含む。ユーザは、検索窓１１に検索すべきタグ名称を入力し、検索条件設定部１２で検索条件を設定して、検索ボタン１３をマウスによりクリックすると、検索結果が検索結果表示部１４に表示される。検索窓１１に入力する文字列は、ユーザがわかっているタグ名称の一部とワイルドカードとの組み合わせ等とすることができる。
【００２２】
検索条件設定部１２では、検索しようとするタグの種類、たとえば温度や流量、圧力等各入出力接点から提供される物理量の種類等を設定することができる。
【００２３】
ユーザは、検索結果表示部１４に表示された検索結果から１つを選択し、タググループ画面ボタン１６またはタグポイント画面ボタン１５をクリックすることによって、タググループ画面またはタグポイント画面（いずれも後述）に遷移させることができる。また、後述する他の実施形態においては、リアルタイムトレンド画面ボタン１７をクリックすることによって、リアルタイムトレンド画面を表示し、ヒストリカルトレンド画面ボタン１８をクリックすることによって、ヒストリカルトレンド画面を表示することができる。
【００２４】
タググループ画面ボタン１６をクリックした場合に、選択したタグ名称が複数のタググループに属しているときには、タググループ画面に遷移する前に、タググループ選択ウィンドウが表示され、ユーザは、タググループ選択ウィンドウからのタググループを選択することによって、所望のタググループ画面に遷移させることができる。
【００２５】
図３は、本実施形態に係る計装監視装置のタググループ画面を例示する模式図である。
図３に示すように、タググループ画面２０は、複数のタグデータ表示部２３を含むことができる。複数のタグデータ表示部２３は、タグ名称表示部および監視データをそれぞれ含んでいる。タグ名称表示部は、入出力接点に付与されたタグ名称、たとえば、“ＡＡＡ．０００１”等を表示する部分である。
【００２６】
監視データは、タグ名称表示部に表示されたタグ名称に関連付けられた入出力接点の監視データである。この監視データは、たとえば、温度センサによって測定された温度のデータや、搬送用のローラの回転速度の速度データ等である。このような実測データのほか、プログラム等によって設定された設定データや演算結果のデータ等を含めることもできる。この例のように、たとえば監視データに対して、下限値（ＭＩＮ）や上限値（ＭＡＸ）を合わせて表示したり、値の範囲に応じてデータのバー表示の色を変化させたりするようにしてもよい。
【００２７】
その他、タググループ画面２０には、タググループ名称表示部２２が設けられ、画面に表示しているタググループの名称、たとえば、“ＸＸＸＸＸＸＸ１”が表示される。また、タググループ名称や、現在表示しているタググループが含むタグの構成を編集等するための各種処理ボタンが配列された処理ボタン群２１が設けられている。
【００２８】
この例では、タグ名称表示部がボタンとなっており、ユーザは、所望のタグ名称のタグ名称表示部をクリックすることによって、対応するタグ名称のタグポイント画面を開くことができる。
【００２９】
図４は、本実施形態の計装監視装置のタグポイント画面を例示する模式図である。
図４に示すように、タグポイント画面３０は、タグ名称表示部３２と、制御パラメータ設定部３３と、ポイントデータ表示部３４と、アラーム表示部３５と、タグデータ表示部３６と、を含んでいる。
【００３０】
タグ名称表示部３２には、現在表示しているタグ名称が表示される。このタグ名称は、タグ名称検索画面１０やタググループ画面２０で表示されたタグ名称と一致する。たとえば、図３のタググループ画面２０において、上側左端のタグデータ表示部２３をクリックした場合には、タグ名称“ＡＡＡ．０００１”に対応するタグポイント画面３０が表示される。タグ名称表示部３２には、さらに任意の追加的記述事項も表示することができる。追加的記述事項は、任意の文字列によって、たとえばタグ名称に対応する接点の機能説明等をユーザが自由に記述することができる項目である。
【００３１】
制御パラメータ設定部３３は、対象のタグ名称に対応する接点の制御パラメータをリモートで設定するための領域である。
【００３２】
ポイントデータ表示部３４は、対象のタグのリアルタイムのデータを表示する領域である。対象のタグに対応する接点のデータが、ＤＣＳ１０５等を介して、リアルタイムで取得され、データサーバ１０１のデータベースを更新する。リアルタイムのデータは、たとえば定周期で収集され、収集されるごとにデータベースが更新されるとともに、ポイントデータ表示部３４のデータも更新される。
【００３３】
アラーム表示部３５は、そのタグ名称に対応するタグのデータが、あらかじめ設定したアラーム設定値を超えたり、下回ったりした場合に、その旨を表示する領域である。
【００３４】
タグデータ表示部３６は、タググループ画面のタグデータ表示部２３と同じ内容が表示される。
【００３５】
タグポイント画面３０には、処理ボタン群３１が設けられている。処理ボタン群３１には、タグ名称や、現在表示しているタグポイント画面に表示している各表示部の配置等の編集等を行うボタンが配置されている。さらに、処理ボタン群３１には、上位ボタン３７が設けられており、ユーザは、上位ボタン３７をクリックすることによって、タグポイント画面３０の上位画面であるタググループ画面２０へＨＭＩ画面を遷移させることができる。
【００３６】
タグポイント画面３０には、後述するリアルタイムトレンド画面やヒストリカルトレンド画面を表示するためのボタンも設けられている。ユーザは、リアルタイムトレンド画面ボタン３８をクリックすることによって、現在のタグ名称を含むリアルタイムトレンド画面にＨＭＩ画面を遷移させることができる。ユーザは、ヒストリカルトレンド画面ボタン３９をクリックすることによって、現在のタグ名称を含むヒストリカルトレンド画面にＨＭＩ画面を遷移させることができる。
【００３７】
本実施形態の計装監視装置１について、フローチャートを用いて一連の動作を説明する。なお、タググループは、計装監視装置１のタググルーピング機能によって、あらかじめ設定されているものとする。
図５は、本実施形態の計装監視装置の動作を説明するフローチャートの例である。
図５に示すように、ステップＳ１において、計装監視装置１は、タグ名称検索画面１０を表示する。計装監視装置１のタグ名称検索機能は、ユーザが入力した任意の文字列にもとづいて、データサーバ１０１のデータベースからタグ名称を検索する。計装監視装置１は、たとえば任意の文字列を含むタグ名称の一覧を表示する。
【００３８】
ユーザは、タグ名称の一覧から所望のタグ名称を選択し、タグポイント画面ボタン１５をクリックする。
【００３９】
ステップＳ２において、計装監視装置１は、選択されたタグ名称に対応するタグポイント画面３０を表示する。
【００４０】
ステップＳ３において、ユーザは、選択したタグ名称が登録されたタググループ画面２０を確認するか否か判断する。タググループ画面を確認する場合には、ユーザは、ステップＳ４において、タグポイント画面３０の上位ボタン３７をクリックする。タググループ画面２０を表示しない場合には、ユーザは、計装監視装置１の操作を終了する。
【００４１】
ステップＳ５において、計装監視装置１は、データサーバ１０１のデータベースを検索して、選択されたタグ名称を含むタググループが複数あるか否かを判定する。計装監視装置１は、そのタグ名称を含むタググループが複数ある場合には、処理をステップＳ６に遷移させる。計装監視装置１は、そのタグ名称を含むタググループが１つの場合には、そのタググループ画面２０に処理を遷移させる。
【００４２】
ステップＳ６において、計装監視装置１は、タググループ選択ウィンドウを開く。
【００４３】
図６は、本実施形態の計装監視装置のタグポイント画面を例示する模式図である。
図６に示すように、タグポイント画面３０には、タググループ選択ウィンドウ３０１が開かれる。タググループ選択ウィンドウ３０１には、タググループ名称とタググループ名称ごとに設定されたタググループ番号の一覧が表示される。
【００４４】
タググループ選択ウィンドウ３０１から所望のタググループを選択することによって、選択したタググループ画面２０（図３）を表示することができる（ステップＳ７）。
【００４５】
タググループ画面を表示させるために、タグ名称検索画面１０の検索結果から所望のタグ名称を選択し（ステップＳ１）、タグ名称検索画面１０のタググループ画面ボタン１６をクリックすることによっても、選択されたタグ名称を含むタググループの一覧を表示させることができる（ステップＳ１１）。
【００４６】
図７は、本実施形態の計装監視装置のタグ名称検索画面を例示する模式図である。
図７に示すように、タグ名称検索画面１０には、タググループ選択ウィンドウ３０１が表示されている。このタググループ選択ウィンドウ３０１は、図６のタググループ選択ウィンドウ３０１と同じウィンドウである。図６の場合と同様に、ユーザは、タググループ選択ウィンドウ３０１からタググループを選択して、所望のタググループ画面２０を表示することができる（Ｓ１２）。
【００４７】
本実施形態の計装監視装置の効果について説明する。
本実施形態の計装監視装置では、タググループには、そのタググループに属するタグ名称を有するタグが関連付けられているので、タグを指定することによって、そのタグ名称に関連付けられているタググループをタググループ画面の表示候補として抽出することができる。計装監視装置では、検索され選択された複数のタググループを表示するタググループ選択ウィンドウを、タグ名称検索画面やポイント画面中に表示することができるので、所望のタググループを迅速に探し出すことができる。
【００４８】
（第２の実施形態）
タグ名称に関連付けられて、データベースとしてデータサーバ１０１で管理されているのは、タググループ以外にリアルタイムトレンドデータがある。リアルタイムトレンドデータとは、現時点を含む時系列（リアルタイム）のデータをいう。
【００４９】
本実施形態の計装監視装置は、リアルタイムトレンド機能を備える。リアルタイムトレンド機能では、タグ名称に関連付けられているリアルタイムトレンドデータを、複数のタグ名称でまとめて任意のリアルタイムトレンド名称を付けて、データベースに登録する。
【００５０】
計装監視装置１は、登録されたリアルトレンドデータ名称を有するリアルタイムトレンド画面を表示することができる。リアルタイムトレンド画面は、ユーザがあらかじめ登録した１つまたは複数のタグ名称にそれぞれ関連付けられたリアルタイムトレンドデータを同時に表示することができる。
【００５１】
図８は、本実施形態の計装監視装置のリアルタイムトレンド画面を例示する模式図である。
図８に示すように、リアルタイムトレンド画面４０は、リアルタイムトレンド名称表示部４２と、タグ名称表示部４３と、リアルタイムデータ表示部４４と、を含んでいる。リアルタイムトレンド名称表示部４２には、ユーザが任意に付与したリアルタイムトレンド名称が表示される。
【００５２】
タグ名称表示部４３には、リアルタイムトレンド名称に登録されたタグ名称が表示される。
【００５３】
リアルタイムデータ表示部４４には、登録されたタグ名称に対応する入出力接点のリアルタイムのデータが表示される。この例では、２つのタグ名称“ＡＡＡ．０００１”および“ＡＡＡ．０００２”に関連付けられたデータが実線および破線で示されている。
【００５４】
なお、他の画面と同様に、リアルタイムトレンド画面４０にも、各種処理ボタンが配列された処理ボタン群４１が設けられている。
【００５５】
本実施形態の計装監視装置１の一連の動作についてフローチャートを参照して説明する。
図９は、本実施形態の計装監視装置の動作を説明するためのフローチャートの例である。
図９では、図５と同じ処理のステップについては、同じ符号を付し、詳細な説明を適宜省略する。
図９に示すように、ステップＳ２まででタグポイント画面３０が表示され、ステップＳ２３において、ユーザは、選択したタグ名称が登録されたリアルタイムトレンド画面４０を確認するか否か判断する。リアルタイムトレンド画面４０を確認する場合には、ユーザは、ステップＳ２４において、リアルタイムトレンド画面ボタン３８（図４）をクリックする。リアルタイムトレンド画面４０を表示しない場合には、ユーザは、計装監視装置１の操作を終了する。
【００５６】
ステップＳ２５において、計装監視装置１は、データサーバ１０１のデータベースを検索して、選択されたタグ名称を含むリアルタイムトレンド名称が複数あるか否かを判定する。計装監視装置１は、そのタグ名称を含むリアルタイムトレンド名称が複数ある場合には、処理をステップＳ２６に遷移させる。計装監視装置１は、そのタグ名称を含むリアルタイムトレンド名称が１つの場合には、そのリアルタイムトレンド画面４０に処理を遷移させる。
【００５７】
ステップＳ２６において、計装監視装置１は、リアルタイムトレンド選択ウィンドウを開く。リアルタイムトレンド選択ウィンドウについては、図示しないが、上述した他の実施形態のタググループ選択ウィンドウと同様である。リアルタイムトレンド選択ウィンドウから所望のリアルタイムトレンド名称を選択することによって、選択したリアルタイムトレンド画面４０を表示することができる（ステップＳ２７）。
【００５８】
リアルタイムトレンド画面４０を表示させるために、タグ名称検索画面１０の検索結果から所望のタグ名称を選択し（ステップＳ１）、タグ名称検索画面１０のリアルタイムトレンド画面ボタン１７をクリックすることによっても、選択されたタグ名称を含むリアルタイムトレンド名称の一覧を表示させることができる（ステップＳ３１）。
【００５９】
ユーザは、リアルタイムトレンド名称の一覧からリアルタイムトレンド名称を選択して、所望のリアルタイムトレンド画面４０を表示することができる（Ｓ３２）。
【００６０】
（第３の実施形態）
タグ名称に関連付けられて、データベースとしてデータサーバ１０１で管理されているのは、タググループ以外にヒストリカルトレンドデータがある。ヒストリカルトレンドデータとは、現時点を含む時系列のデータのうち、より長期の過去のデータを含むものをいう。
【００６１】
本実施形態の計装監視装置１は、ヒストリカルトレンド機能を備える。ヒストリカルトレンド機能では、タグ名称に関連付けられているヒストリカルトレンドデータを、複数のタグ名称でまとめて任意のヒストリカルトレンド名称を付けて、データベースに登録する。
【００６２】
計装監視装置１は、登録されたヒストリカルトレンドデータ名称を有するヒストリカルトレンド画面を表示することができる。ヒストリカルトレンド画面は、ユーザがあらかじめ登録した１つまたは複数のタグ名称にそれぞれ関連付けられたヒストリカルトレンドデータを同時に表示することができる。
【００６３】
図１０は、本実施形態の計装監視装置のヒストリカルトレンド画面を例示する模式図である。
図１０に示すように、ヒストリカルトレンド画面５０は、ヒストリカルトレンド名称表示部５２と、タグ名称表示部５３と、ヒストリカルトレンドデータ表示部５４と、を含んでいる。ヒストリカルトレンド名称表示部５２には、ユーザが任意に付与したヒストリカルトレンド名称が表示される。
【００６４】
タグ名称表示部５３およびヒストリカルトレンドデータ表示部５４には、図８で説明した場合と同様に、ヒストリカルトレンド名称に登録されたタグ名称および登録されたタグ名称に対応する入出力接点のヒストリカルトレンドデータが表示される。他の画面と同様に、ヒストリカルトレンド画面５０には、各種処理ボタンが配列された処理ボタン群５１が設けられている。
【００６５】
本実施形態の計装監視装置１の一連の動作についてフローチャートを参照して説明する。
図１１は、本実施形態の計装監視装置の動作を説明するためのフローチャートの例である。
図１１では、図５と同じ処理のステップについては、同じ符号を付し、詳細な説明を適宜省略する。
図１１に示すように、ステップＳ２まででタグポイント画面３０が表示され、ステップＳ４３において、ユーザは、選択したタグ名称が登録されたヒストリカルトレンド画面５０を確認するか否か判断する。ヒストリカルトレンド画面５０を確認する場合には、ユーザは、ステップＳ４４において、ヒストリカルトレンド画面ボタン３９（図４）をクリックする。ヒストリカルトレンド画面５０を表示しない場合には、ユーザは、計装監視装置１の操作を終了する。
【００６６】
ステップＳ４５において、計装監視装置１は、データサーバ１０１のデータベースを検索して、選択されたタグ名称を含むヒストリカルトレンド名称が複数あるか否かを判定する。計装監視装置１は、そのタグ名称を含むヒストリカルトレンド名称が複数ある場合には、処理をステップＳ４６に遷移させる。計装監視装置１は、そのタグ名称を含むヒストリカルトレンド名称が１つの場合には、そのヒストリカルトレンド画面５０に処理を遷移させる。
【００６７】
ステップＳ４６において、計装監視装置１は、ヒストリカルトレンド選択ウィンドウを開く。ヒストリカルトレンド選択ウィンドウについては、図示しないが、上述した他の実施形態のタググループ選択ウィンドウ３０１と同様である。ヒストリカルトレンド選択ウィンドウから所望のヒストリカルトレンド名称を選択することによって、選択したヒストリカルトレンド画面５０を表示することができる（ステップＳ４７）。
【００６８】
ヒストリカルトレンド画面５０を表示させるために、タグ名称検索画面１０の検索結果から所望のタグ名称を選択し（ステップＳ１）、タグ名称検索画面１０のヒストリカルトレンド画面ボタン１８をクリックすることによっても、選択されたタグ名称を含むヒストリカルトレンド名称の一覧を表示させることができる（ステップＳ５１）。
【００６９】
ユーザは、ヒストリカルトレンド名称の一覧からヒストリカルトレンド名称を選択して、所望のヒストリカルトレンド画面５０を表示することができる（ステップＳ５２）。
【００７０】
上述した各実施形態については、互いに組み合わせて実施することもできる。たとえば、第１の実施形態に第２の実施形態を組み合わせてもよいし、第３の実施形態を組み合わせてもよい。また、すべての実施形態を組み合わせて実施してもよい。
【００７１】
以上説明した実施形態によれば、ユーザが迅速かつ容易に監視したいタググループ画面を表示することができる計装監視装置を実現することができる。
【００７２】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００７３】
１  計装監視装置、１０  タグ名称検索画面、１５  タグポイント画面ボタン、１６  タググループ画面ボタン、１７  リアルタイムトレンド画面ボタン、１８  ヒストリカルトレンド画面ボタン、２０  タググループ画面、３０  タグポイント画面、３７  上位ボタン、３８  リアルタイムトレンド画面ボタン、３９  ヒストリカルトレンド画面ボタン、４０  リアルタイムトレンド画面、５０  ヒストリカルトレンド画面、１００  計装制御システム、１０１  データサーバ、１０２  エンジニアリングツール、１０３  通信ネットワーク、１０４  制御系ネットワーク、１０５  分散型の制御システム、１０６  ネットワーク、３０１  タググループ選択ウィンドウ
【図１】
2020021345.tif 000003
【図２】
2020021345.tif 000004
【図３】
2020021345.tif 000005
【図４】
2020021345.tif 000006
【図５】
2020021345.tif 000007
【図６】
2020021345.tif 000008
【図７】
2020021345.tif 000009
【図８】
2020021345.tif 000010
【図９】
2020021345.tif 000011
【図１０】
2020021345.tif 000012
【図１１】
2020021345.tif 000013